(57)【要約】【課題】  扉体の左右位置の支持円盤の下方に溜まる砂を排除できるようにする。【解決手段】  左右の支持円盤４の周辺部同士の間に扉体５を取り付けてゲート本体３を形成する。左右の支持柱部材２の間の水路に、ゲート本体３を横切るよう配置し、水平軸を中心に回転動作できるようにして回転式ゲートを形成する。扉体５の上流側の水路内にて扉体５を全閉状態とするときの天端よりも所要寸法ｈ低い位置に開口させた上流側水流入口１９と、各支持円盤４の下方位置にて下流方向へ向けて開口する水流出口２０とを連通させる排砂用配管１８を設ける。扉体５の上流側と下流側の水位差に基づいて、上流側水流入口１９より取り入れた水２７を、排砂用配管１８を通して水流出口２０まで導いて、支持円盤４の下方位置にて常時下流方向へ流出させることで、支持円盤４の下方の土砂を下流側へ流し出させる。【選択図】図１
2008045312.tif 000002
【特許請求の範囲】
【請求項１】
左右の支持柱部材の間の水路内に、左右の支持円盤と、該左右の支持円盤の周辺部間に取り付けた扉体とからなるゲート本体を配置して、該ゲート本体を回転させて上記扉体を開閉動作できるようにしてある回転式ゲートにおける上記支持円盤の部分に、上流側の水路に開口させた上流側水流入口を一端側に備え、且つ他端側に、上記左右の各支持円盤の下方位置にて下流側に向けて開口する水流出口を有してなる排砂用配管を具備してなる構成を有することを特徴とする回転式ゲートの排砂装置。
【請求項２】
排砂用配管の上流側水流入口を、ゲート本体の扉体を全閉状態とするときの該扉体の天端よりも所要寸法低い位置に開口させて、扉体を堰として作用させる通常時に上記上流側水流入口が没水するようにした請求項１記載の回転式ゲートの排砂装置。
【請求項３】
排砂用配管を、左右の各支持柱部材に左右の各支持円盤をそれぞれ収容させるために設けてある凹部の内側に上下方向に挿通させて配設すると共に、上記各支持柱部材の凹部側に各支持円盤の外周面に臨むよう設けてある戸当り金物を貫通して左右方向に延びる流入管の左右方向の外側端部を、上記排砂用配管に接続して、該流入管の水路中央側端部を上流側水流入口とした請求項１又は２記載の回転式ゲートの排砂装置。
【請求項４】
排砂用配管の一端部に、流入管との接続個所よりもやや下方位置から、扉体を全閉状態とするときの該扉体の天端よりも所要寸法高い位置まで上下方向に延びる管状の太径部を設けると共に、該太径部の内径よりもやや細い外径を有し且つ上記太径部よりも上下方向にやや長い寸法を有して上端部に洗浄装置を接続可能としてある挿入管を備えて、該挿入管を、上記太径部内に全長に亘り上方から挿入することにより、該挿入管の下端部により上記流入管との接続個所を内側から閉塞させることができるようにした請求項３記載の回転式ゲートの排砂装置。
【請求項５】
排砂用配管に加えて、扉体を全閉状態とするときの該扉体の天端よりも所要寸法高い位置にて洗浄装置を接続できるようにするための洗浄装置接続部と、左右の各支持円盤の下方位置にて下流側に向けて開口する水噴出口とを連通させる強制排砂用配管を備えるようにした請求項１、２、３又は４記載の回転式ゲートの排砂装置。
【発明の詳細な説明】
【技術分野】
【０００１】
本発明は、左右一対の支持円盤と該各支持円盤の周辺部同士の間に取り付けた扉体とからなるゲート本体を、河川や水路の途中位置に配置して、上記ゲート本体が水平軸を中心として回転動作することにより上記扉体の開閉を行うようにしてある回転式ゲートにおいて、上記支持円盤の下方に溜まる砂を排除するために用いる回転式ゲートの排砂装置に関するものである。
【背景技術】
【０００２】
河川や水路の途中位置に設けられて流量調節等を行うゲートとしては、ローラゲート方式のものが一般的に用いられている。かかるローラゲートは、ゲート躯体として、河川の幅方向に所要間隔で鉛直な支持柱部材（ピア）を設置し、隣接する各支持柱部材間にゲート扉体を昇降可能に設けると共に、該ゲート扉体を支持柱部材の上端部に設置した開閉装置により昇降（開閉）できるようにしたものである。
【０００３】
しかし、上記ローラゲートでは、上記各支持柱部材に、ゲート扉体の水面上への引き上げに対応した高さ寸法を確保する必要があると共に、支持柱部材の上端部に昇降装置を設置するようにしてあることから、大きな構造物が水面上に突出することとなり、周囲環境や景観に少なからず影響を与え、好ましくない場合が生じていた。
【０００４】
そのために、近年、支持柱部材の上端部に昇降装置を設ける必要をなくして上記した如きローラゲートの有する問題点を解消できるようにしたゲート形式の１つとして、回転式ゲートが開発されてきている。
【０００５】
かかる回転式ゲートは、図５及び図６にその一例の概略を示す如く、河川の幅方向に所要間隔で躯体としての支持柱部材（ピア）２を設置して、隣接する支持柱部材２の間に水路１を形成してある。又、左右一対の支持円盤４の周辺部同士の間に、弓形（略三日月形）断面形状のシェル構造として左右方向に延びる扉体５を配置して、該扉体５の左右両端部をそれぞれ支持円盤４に取り付けることによりゲート本体３を構成するようにしてある。更に、上記ゲート本体３は、上記左右の支持柱部材２の間に水路１を横切るよう配置すると共に、上記水路１を挟んで相対向する左右の支持柱部材２の内側面部（水路１中央側面部）に、上記ゲート本体３の左右の支持円盤４を、該各支持円盤４の中心に配した左右水平方向の支持軸６を介して回転自在に支持させて、上記ゲート本体３が、上記左右の支持柱部材２の間の水路１内で支持軸６を中心に回転できるようにしてある。
【０００６】
更に、上記ゲート本体３の回転駆動機構７として、上記左右の支持円盤４のうちの一方（図上右側）の支持円盤４の外周端部に、ピンラック等のラック部８を周方向に延びるよう設けると共に、対応する側の支持柱部材２内に設置してある油圧モータ等の駆動装置９の出力軸に取り付けたピニオン１０を、上記ラック部８に噛合させた構成としてある。
【０００７】
上記左右の支持柱部材２間の水路１の底部における上記ゲート本体３の配設位置と対応する個所には、扉体収容凹部としての掘込みピット１１を設けて、上記扉体５をゲート本体３の最下端部に配置すると、該扉体５が上記掘込みピット１１に収容されて、扉体５の背面が水路１の底面と一致するようにして、水路１を全開状態とさせることができるようにしてある。
【０００８】
以上の構成としてある上記回転式ゲートによれば、上記駆動装置９によりピニオン１０を回転駆動させると、上記ラック部８が設けてある一方の支持円盤４と一体に上記ゲート本体３を回転させることができて、該ゲート本体３に設けてある上記扉体５の角度及び高さ位置を自在に変更できるようにしてある。したがって、上記左右の支持柱部材２の間の水路１内における上記扉体５の角度や高さの配置を適宜変化させることで、上記水路１を流通する水の流量を調整したり、上記扉体５の上流側や下流側の水位を調整できるようにしてある。
【０００９】
１２は左右の各支持柱部材２の内側面部に上記支持円盤４を収容できるように設けた凹部を示す（たとえば、特許文献１参照）。
【００１０】
更に、上記回転式ゲートは、上記ゲート本体３の両端部とその左右に位置する支持柱部材２との間をシールするための側部シール部と、上記ゲート本体３の最外周部に位置する上記扉体５の所要個所と、水路１の底部との間を長手方向にシールする底部シール部とを備えて水密構造となるようにしてある。
【００１１】
図７は上記側部シール部１３の一例を示すもので、上記左右の支持柱部材２に支持円盤４を収容させるために設けた凹部１２における支持円盤４の外周面４ａに臨む所要個所に、水路１の底部から所要の高さ位置まで上記支持円盤４の外周面４ａに沿って延びる戸当り金物１４を設けて、該戸当り金物１４の先端面と、上記支持円盤４の外周面４ａとの間に水密ゴム１５の高さ寸法よりもやや狭い隙間を形成するようにし、更に、上記戸当り金物１４の先端面に、水密ゴム１５を取り付けてなる構成として、該水密ゴム１５の突出端部を、上記支持円盤４の外周面４ａに圧接することで、ゲート本体３の左右両端部とそれぞれ対応する支持柱部材２との間を水密状態に保持させることができるようにしてある。
【００１２】
更に、上記戸当り金物１４の先端部における上記水密ゴム１５よりも水路１中心側には、先端部が上記支持円盤４の外周面４ａのごく近傍位置まで突出する土砂進入防止ゴム１６を備えて、扉体５よりも上流側の水路１から、上記水密ゴム１５による側部シール部１３に土砂が侵入する虞を未然に防止するようにしてある（たとえば、特許文献２参照）。
【００１３】
ところで、上記した如き回転式ゲートでは、水路１の底部に堀込みピット１１を設けるようにしてあることから、水路１上流側から流下してくる土砂等が、該堀込みピット１１に溜まることがある。このように堀込みピット１１に土砂等が溜まると、上記扉体５と堀込みピット１１の内底面との間に土砂等が侵入して、ゲート本体３を回転させるときの抵抗が増加する等の不具合が生じる可能性が懸念される。
【００１４】
そのために、図８に示す如く、回転式ゲートのゲート本体３の扉体５の断面形状を、上記支持円盤４の外周と等しい径で所要角度範囲に亘って延びる円弧ａと、該円弧に対応する弦ｂとで囲まれる弓形形状を、上記弦ｂと直交する辺ｃでカットしてなる略三角形状とすると共に、上記水路１の底部に設ける掘込みピット１１を、底面が水平で、且つ上流側の壁面である前壁が鉛直で、更に、下流側の壁面である後壁を、なだらかな角度で上昇して下流側の水路１底面に連続する傾斜面としてなる構成とすることが提案されている。
【００１５】
かかる構成によれば、上記扉体５の円弧断面と対応する湾曲面を水路１の上流側に向けて該扉体５を堰として作用させるときに、扉体５の天端を越流した水流の一部を、該扉体５の背面（下流側に望む面）に沿って上記掘込みピット１１の前壁側へ回り込むように流通させることで、該堀込みピット１１の前壁側に堆積した土砂等を巻き上げて、下流側へ流出させて排出できるとされている（たとえば、特許文献３参照）。
【００１６】
又、図９に示す如く、回転式ゲートのゲート本体３の扉体５の内部に、該扉体５を堰として作用させる角度姿勢とする状態のときに、一端側が上記扉体５の上端に開口し、且つ他端側が該扉体５の下部に下流方向に向いて開口する排砂管１７を設ける構成とすることも提案されている。
【００１７】
かかる構成によれば、上記扉体５を堰として作用させるときに、該扉体５の天端を越流する水流の一部を、上記排砂管１７を通して扉体５の下部より下流側へ向けて流出させることで、堀込みピット１１内にて扉体５の下部下流側に溜まる土砂等を下流側へ流し出すことができるとされている（たとえば、特許文献４参照）。
【００１８】
【特許文献１】特開平９−３１６８５９号公報
【特許文献２】特開平１０−１８３５８６号公報
【特許文献３】特開平９−２０９３４０号公報
【特許文献４】特開２００２−３０９５６０号公報
【発明の開示】
【発明が解決しようとする課題】
【００１９】
ところが、図７に示したように、回転式ゲートの側部シール部１３には、土砂進入防止ゴム１６を備えて、該側部シール部１３への土砂等の侵入を防止するようにしているが、洪水時等に、左右の支持柱部材２まで冠水すると、該各支持柱部材２にゲート本体３の左右の支持円盤４を収容するために設けてある凹部１２側まで土砂が侵入する可能性がある。又、土砂の多い河川に設置した回転式ゲートでは、扉体５を越流した水流に搬送された細かい土砂等が、該扉体５の下流側から回り込んで上記左右の支持柱部材２の凹部１２における支持円盤４の下側に溜まることがある。このようにして上記各支持柱部材２の凹部１２にて各支持円盤４の下側に土砂等が溜まるようになると、ゲート本体３の回転に対する抵抗が増加して、該ゲート本体３の回転駆動機構７の駆動装置９に大きな駆動力が要求されるようになってしまう。
【００２０】
そこで、上記左右の各支持柱部材２の凹部１２における左右の支持円盤４の下方に溜まる土砂等を排除することが望まれる。しかし、上記左右の各支持円盤４の下方に溜まる砂を排除するための手段は従来特に提案されていないというのが実状である。
【００２１】
上記特許文献３、４に記載されたものは、いずれも水路１の底部に設けられた堀込みピット１１にて、扉体５を堰として作用させるときに該扉体５の下流側位置、すなわち、上記扉体５と幅方向に対応する個所に溜まる土砂等を下流側へ流し出すには有効なものであるが、上記左右の各支持円盤４の下方に溜まる砂を効率よく排除できるようにはなっていない。
【００２２】
そこで、本発明は、回転式ゲートの左右の支持柱部材に設けた凹部にて、ゲート本体の左右の支持円盤の下方に溜まる土砂等を効率よく排除できるようにするための回転式ゲートの排砂装置を提供しようとするものである。
【課題を解決するための手段】
【００２３】
本発明は、上記課題を解決するために、請求項１に対応して、左右の支持柱部材の間の水路内に、左右の支持円盤と、該左右の支持円盤の周辺部間に取り付けた扉体とからなるゲート本体を配置して、該ゲート本体を回転させて上記扉体を開閉動作できるようにしてある回転式ゲートにおける上記支持円盤の部分に、上流側の水路に開口させた上流側水流入口を一端側に備え、且つ他端側に、上記左右の各支持円盤の下方位置にて下流側に向けて開口する水流出口を有してなる排砂用配管を具備してなる構成とする。
【００２４】
又、上記構成における排砂用配管の上流側水流入口を、ゲート本体の扉体を全閉状態とするときの該扉体の天端よりも所要寸法低い位置に開口させて、扉体を堰として作用させる通常時に上記上流側水流入口が没水するようにした構成とする。
【００２５】
更に、上記各構成において、排砂用配管を、左右の各支持柱部材に左右の各支持円盤をそれぞれ収容させるために設けてある凹部の内側に上下方向に挿通させて配設すると共に、上記各支持柱部材の凹部側に各支持円盤の外周面に臨むよう設けてある戸当り金物を貫通して左右方向に延びる流入管の左右方向の外側端部を、上記排砂用配管に接続して、該流入管の水路中央側端部を上流側水流入口とした構成とする。
【００２６】
上記構成において、排砂用配管の一端部に、流入管との接続個所よりもやや下方位置から、扉体を全閉状態とするときの該扉体の天端よりも所要寸法高い位置まで上下方向に延びる管状の太径部を設けると共に、該太径部の内径よりもやや細い外径を有し且つ上記太径部よりも上下方向にやや長い寸法を有して上端部に洗浄装置を接続可能としてある挿入管を備えて、該挿入管を、上記太径部内に全長に亘り上方から挿入することにより、該挿入管の下端部により上記流入管との接続個所を内側から閉塞させることができるようにした構成とする。
【００２７】
上述の各構成において、排砂用配管に加えて、扉体を全閉状態とするときの該扉体の天端よりも所要寸法高い位置にて洗浄装置を接続できるようにするための洗浄装置接続部と、左右の各支持円盤の下方位置にて下流側に向けて開口する水噴出口とを連通させる強制排砂用配管を備えるようにした構成とする。
【発明の効果】
【００２８】
本発明の回転式ゲートの排砂装置によれば、以下のような優れた効果を発揮する。  
（１）左右の支持柱部材の間の水路内に、左右の支持円盤と、該左右の支持円盤の周辺部間に取り付けた扉体とからなるゲート本体を配置して、該ゲート本体を回転させて上記扉体を開閉動作できるようにしてある回転式ゲートにおける上記支持円盤の部分に、上流側の水路に開口させた上流側水流入口を一端側に備え、且つ他端側に、上記左右の各支持円盤の下方位置にて下流側に向けて開口する水流出口を有してなる排砂用配管を具備してなる構成としてあるので、上記扉体を堰として作用させる通常時には、該扉体の上流側と下流側の水位差に基づいて、上記上流側水流入口から取り入れる水を排砂用配管を通して水流出口まで導いた後、該水流出口より各支持円盤の下方位置にて下流側へ向かう水流を常時発生させて、該各支持円盤の下方に溜まる土砂を、常時下流側へ流し出して排除することができる。  
（２）排砂用配管を、左右の各支持柱部材に左右の各支持円盤をそれぞれ収容させるために設けてある凹部の内側に上下方向に挿通させて配設すると共に、上記各支持柱部材の凹部側に各支持円盤の外周面に臨むよう設けてある戸当り金物を貫通して左右方向に延びる流入管の左右方向の外側端部を、上記排砂用配管に接続して、該流入管の水路中央側端部を上流側水流入口とした構成とすることにより、排砂用配管を、躯体との取り合いを要することなく配設できて、該排砂用配管の設置に要する手間及びコストの削減化を図ることができる。  
（３）排砂用配管の一端部に、流入管との接続個所よりもやや下方位置から、扉体を全閉状態とするときの該扉体の天端よりも所要寸法高い位置まで上下方向に延びる管状の太径部を設けると共に、該太径部の内径よりもやや細い外径を有し且つ上記太径部よりも上下方向にやや長い寸法を有して上端部に洗浄装置を接続可能としてある挿入管を備えて、該挿入管を、上記太径部内に全長に亘り上方から挿入することにより、該挿入管の下端部により上記流入管との接続個所を内側から閉塞させることができるようにした構成とすることにより、必要に応じて上記太径部に挿入管を挿入して配置すると共に、該挿入管の上端部に洗浄装置を接続して、該洗浄装置にて発生させる噴流を、挿入管と排砂用配管を通して水流出口まで導いて、該水流出口より各支持円盤の下方位置にて下流側へ向けて噴出させることで、該各支持円盤の下方に溜まる土砂を、強制的に下流側へ流し出して排除することができる。  
（４）排砂用配管に加えて、扉体を全閉状態とするときの該扉体の天端よりも所要寸法高い位置にて洗浄装置を接続できるようにするための洗浄装置接続部と、左右の各支持円盤の下方位置にて下流側に向けて開口する水噴出口とを連通させる強制排砂用配管を備えるようにした構成とすることにより、上記強制排砂用配管の洗浄装置接続部に洗浄装置を接続して、該洗浄装置にて発生させる噴流を、強制排砂用配管を通して水噴出口まで導いて、該水噴出口より各支持円盤の下方位置にて下流側へ向けて噴出させることによっても、該各支持円盤の下方に溜まる土砂を、強制的に下流側へ流し出して排除することができる。
【発明を実施するための最良の形態】
【００２９】
以下、本発明を実施するための最良の形態を図面を参照して説明する。
【００３０】
図１乃至図４は本発明の回転式ゲートの排砂装置の実施の一形態を示すもので、図５及び図６に示したと同様の構成におけるゲート本体３の左右の支持円盤４と、左右の支持柱部材２に上記支持円盤４を収容できるように設けた凹部１２との間に、図７に示したと同様の戸当り金物１４と水密ゴム１５からなる側部シール部１３を備えた構成において、上記左右の支持柱部材２の凹部１２内に、扉体５よりも上流側の水路１における上記扉体５を全閉状態とするときの扉体５天端よりも所要寸法ｈ低い位置、たとえば、５０ｃｍ程度低い位置に開口させる上流側水流入口１９を一端側に備え、且つ他端側に、左右の対応する支持円盤４の下方位置にて下流方向へ向けて開口させる水流出口２０を有してなる排砂用配管１８を設ける。これにより、上記扉体５を堰として作用させるときに該扉体５の上流側と下流側に生じる水位差に基づいて、上記上流側水流入口１９より取り入れた水２７を、排砂用配管１８を通して支持円盤４の下方位置まで導いて、上記水流出口２０より下流方向へ流出させるようにする水流を常時発生させることができるようにする。
【００３１】
詳述すると、上記排砂用配管１８は、その上半部を、左右の支持柱部材２の凹部１２における上記戸当り金物１４と、その左右方向の外側に位置する上記凹部１２内面との間の隙間に通すように上下方向に配置すると共に、上下方向の所要個所を、所要の固定部、たとえば、上記戸当り金物１４とその左右方向の外側に位置する上記凹部１２内面とを連結するために設置してある梁材２１に、図示しないＵボルト等を介し固定して、支持させるようにしてある。
【００３２】
更に、上記排砂用配管１８の上端部となる一端部は、上記上流側水流入口１９を設定する高さ位置よりもやや低い高さ位置から、上記扉体５を全閉状態とするときの扉体５天端よりも上方へ所要寸法突出する高さ位置までを、後述する挿入管２２を上方から挿入できるようにするための太径で上下方向に延びる直管状の太径部１８ａとすると共に、該太径部１８ａの下端部における水路１中央側面部に、上記戸当り金物１４を貫通して左右水平方向に延びて先端部を上記水路１に開口させた上流側水流入口１９としてなる流入管１８ｂの基端部を連通接続してある。これにより、扉体５の上流側に堰き止められる水２７を、上記上流側水流入口１９より流入管１８ｂ、太径部１８ａの下端部を経て排砂用配管１８へ取り入れることができるようにしてある。
【００３３】
上記排砂用配管１８の下半部は、上記凹部１２を形成している各支持柱部材２の躯体の形状に応じて、該躯体と干渉しないように適宜屈曲させて対応する支持円盤４の下端のやや前方位置まで導くと共に、水流出口２０が上記支持円盤４の下端と堀込みピット１１の内底部との隙間に向くように、排砂用配管１８の下端部を下流側に向けて配設するようにして、該排砂用配管１８を通して上流側より導かれる水２７を、上記水流出口２０より支持円盤４の下端と堀込みピット１１の内底部との隙間に向かう水流として下流側へ流出させることができるようにしてある。
【００３４】
上記排砂用配管１８の太径部１８ａに挿入するための上記挿入管２２は、図４に示す如く、上記太径部１８ａの内径よりもやや細い外径を備えると共に、上記太径部１８ａよりもやや上下方向に長い寸法を有するようにし、更に、上端部にフランジ２３を備えた構成としてある。これにより、上記挿入管２２を、上記排砂用配管１８の太径部１８ａに、上方から全長に亘り挿入することで、上記太径部１８ａの下端部における上記流入管１８ｂとの連通部分を、上記挿入管２２の下端部により内側から閉塞させることができるようにしてある。これにより、上記挿入管２２を上記排砂用配管１８の太径部１８ａに上方から挿入して上記流入管１８ｂとの連通部分を内側から塞いだ状態にて、上記挿入管２２の上端部の内側に、高圧洗浄機のような図示しない所要の洗浄装置のノズルを挿入したり、図示しない洗浄装置の配管の先端側を上記挿入管２２の上端部のフランジ２３に接続して、洗浄装置により発生させる噴流２８を、上記挿入管２２へ上端側から強制的に送り込むことができるようにしてある。したがって、該洗浄装置による噴流２８は、挿入管２２、排砂用配管１８を経て水流出口２０まで導かれて、図１及び図３に示す如く、該水流出口２０より支持円盤４の下端と堀込みピット１１の内底部との隙間を通して下流側へ噴出されるようにしてある。
【００３５】
更に、本実施の形態では、上記左右の支持柱部材２の凹部１２における上記戸当り金物１４と、その左右方向の外側に位置する上記凹部１２内面との間の隙間に、上記排砂用配管１８に加えて、強制排砂用配管２４を配設するようにしてある。
【００３６】
具体的には、上記強制排砂用配管２３は、上記排砂用配管１８とほぼ平行に配設して、排砂用配管１８と同様に所要の固定部に固定して支持させるようにしてあると共に、上端部を、上記扉体５を全閉状態とするときの扉体５天端よりも上方へ所要寸法突出する高さ位置に配した洗浄装置接続部２５として、該洗浄装置接続部２５の上端部にはフランジ２５ａを備えるようにしてある。又、上記強制排砂用配管２４の下端部は、上記支持円盤４の下端と堀込みピット１１の内底部との隙間にてほぼ水平方向下流側を向く水噴出口２６とするようにしてある。なお、該水噴出口２６は、上記排砂用配管１８の水流出口よりも上記支持円盤４の下端と堀込みピット１１の内底部との隙間に更に近接させて配置させるようにしてある。これにより、上記洗浄装置接続部２５上端部の内側に、高圧洗浄機のような図示しない所要の洗浄装置のノズルを挿入したり、図示しない洗浄装置の配管の先端側を上記フランジ２５ａに接続して、洗浄装置の噴流２８を、上記強制排砂用配管２４へ上端側から強制的に送り込むことにより、上記噴流２８を、強制排砂用配管２４を経て水噴出口２６まで導いて、該水噴出口２６より支持円盤４の下端と堀込みピット１１の内底部との隙間を通して下流側へ噴出させることができるようにしてある。
【００３７】
なお、上記排砂用配管１８や強制排砂用配管２４の上端部は、左右の支持柱部材２の内部にゲート本体３の回転駆動機構７（図５参照）を設置したり、作業者が保守、点検時に入るために設けてある作業室内に配置させるようにすればよい。その他、図５及び図６並びに図７に示したものと同一のものには同一符号が付してある。
【００３８】
以上の構成としてある回転式ゲートの排砂装置を装備した回転式ゲートにて、扉体５を堰として作用させる通常時には、上記排砂用配管１８の太径部１８ａから上記挿入管２２を引き抜いた状態としておく。上記のように扉体５を堰として作用させるときには、該扉体５の上流側では水のレベルが該扉体５の天端まで達するようになるため、該扉体５の上流側の水路１内の水の一部が、常時、上記上流側水流入口１９より流入管１８ｂを経て排砂用配管１８に流入させられる。この排砂用配管１８に流入した水は、上記扉体５の上流側と下流側の水位差に応じた圧力で水流出口２０側へ送られ、該水流出口２０より、対応する左右の支持円盤４の下端と堀込みピット１１の内底部との隙間に向けて流出させられるようになる。よって、上記各支持円盤４の下端と、その下方に位置する堀込みピット１１の内底部との隙間に常時下流側へ向いた水流を生じさせることができるようになることから、該各支持円盤４の下方の堀込みピット１１の内底部に溜まる土砂は、上記水流により常に下流側へ流し出されるようになる。
【００３９】
更に、洪水時等に左右の支持柱部材２までの冠水が生じた後や、左右の支持円盤の下方に多量の土砂が溜まったと判断される場合、あるいは、所要の期間ごと等に、上記排砂用配管１８の上端部の太径部１８ａに上記挿入管２２を挿入した後、該挿入管２２の上端部に図示しない洗浄装置を接続して、該洗浄装置にて発生させる噴流２８を、挿入管２２、排砂用配管１８を経て水流出口２０まで導いて、該水流出口２０より支持円盤４の下端と堀込みピット１１の内底部との隙間を通して下流側へ噴出させることにより、各支持円盤４の下方の堀込みピット１１の内底部に溜まる土砂は、強制的に下流側へ流し出されるようになる。
【００４０】
更に又、必要に応じて、上記強制排砂用配管２４の上端部の洗浄装置接続部２５に、図示しない洗浄装置を接続して、該洗浄装置にて発生させる噴流２８を、上記強制排砂用配管２４を通して水噴出口２６まで導いて、該水噴出口２６より支持円盤４の下端と堀込みピット１１の内底部との隙間を通して下流側へ噴出させることによっても、上記各支持円盤４の下方の堀込みピット１１の内底部に溜まる土砂を、強制的に下流側へ流し出されるようになる。
【００４１】
このように、本発明の回転式ゲートの排砂装置によれば、回転式ゲートにおける左右の支持柱部材２に設けた凹部１２に収容させるようにしてあるゲート本体３の左右の各支持円盤４の下方に溜まる土砂を、扉体５の上流側と下流側の水位差に基づいて生じさせる水流によって常時下流側へ流し出して排除することができる。更に、上記排砂用配管１８の上端部に挿入管２２を介して洗浄装置を接続したり、上記強制排砂用配管２４の上端部の洗浄装置接続部２５に洗浄装置を接続すれば、上記洗浄装置にて発生させる噴流２８により、上記左右の各支持円盤４の下方に溜まる土砂を、強制的に下流側へ流し出して排除することができる。
【００４２】
なお、上記排砂用配管１８の下端部の水流出口２０よりも、上記強制排砂用配管２４の下端部の水噴出口２６の方が、より下流側に配置してあって、各支持円盤４の下端と堀込みピット１１の内底部との隙間により近接させるようにしてあるため、上記排砂用配管１８と強制排砂用配管２４に洗浄装置を接続して、上記したような各支持円盤４の下方に溜まる土砂の強制的な下流側への流し出しを行う際には、先ず、上記排砂用配管１８を通して洗浄装置の噴流２８を導いて上記水流出口２０より噴出させることで各支持円盤４の下方に溜まる土砂の強制的な下流側への流し出しを行った後、上記強制排砂用配管２４を通して洗浄装置の噴流２８を導いて上記水噴出口２６より噴出させて、各支持円盤４の下方に溜まる土砂の強制的な下流側への流し出しを行うようにすれば、土砂を順次下流側へ流し出すことができて、上記各支持円盤４の下方に溜まる土砂を効率よく排除することができる。
【００４３】
なお、本発明は、上記実施の形態にのみ限定されるものではなく、水路１の片側の支持柱部材２の凹部１２内に、排砂用配管１８を複数本ずつ設けるようにしてもよい。又、上記強制排砂用配管２４を複数本ずつ設けるようにしてもよい。更には、上記排砂用配管１８のみを設けるようにして、上記強制排砂用配管２４を省略するようにしてもよい。
【００４４】
排砂用配管１８の水流出口２０、及び、強制排砂用配管２４の水噴出口２６の配置は、支持円盤４の下方に溜まる土砂を効率よく下流側へ流し出すことができるような水の流れを生じさせることができるような配置としてあれば、図示した配置以外の配置としてもよく、各支持円盤４の外周面の湾曲率や、該各支持円盤４を収容させてある各支持柱部材２の凹部１２の底部の形状に応じて適宜変更してもよい。洗浄装置にて発生させる噴流２８を用いて各支持円盤４の下方に溜まる土砂を強制的に下流側へ流し出すときに、上記排砂用配管１８の水流出口２０より上記噴流２８を噴出させる操作と、上記強制排砂用配管２４の水噴出口２６より上記噴流２８を噴出させる操作の順序は適宜変更してもよく、又、同時に行わせるようにしてもよい。
【００４５】
排砂用配管１８における上流側水流入口１９は、回転式ゲートにて通常、扉体５の上流側に保持される水位で空中に露出せずに確実に水中となる高さ位置で、且つ扉体５の上流側と下流側の水位差に応じて排砂用配管１８内に上流側水流入口１９から水流出口２０へ向かす水流を発生させることができるような高さ位置に配設できれば、扉体５のサイズ等に応じて適宜変更してもよい。更に、上記排砂用配管１８に上流側水流入口１９を連通させるための流入管１８ｂは、戸当り金物１４を貫通させて配設することが、躯体との取り合いを不要にできるという観点からは好ましいが、左右の支持柱部材２における凹部１２周辺の躯体を貫通させて配設して、水路１の側壁となるコンクリート面に、上流側水流入口１９を設けるようにしてもよい。更には、排砂用配管１８や強制排砂用配管２４を躯体内を通して配設するようにしてもよい。
【００４６】
上記排砂用配管１８や強制排砂用配管２４の径は、扉体５の上流側と下流側の水位差に基づいて、各支持円盤４の下方に溜まる土砂を下流側へ流し出すことができるような水流を形成させることができれば、自在に選定してよい。
【００４７】
水路１の左右位置に設けた支持柱部材２の間で、扉体５とその左右両側の支持円盤４とからなるゲート本体３を左右方向の水平軸を中心に回転させて上記扉体５を開閉させるようにしてある回転式ゲートのうち、堰として使用すると共に、上記左右の支持円盤４の下方に土砂が溜まる虞のある回転式ゲートであれば、扉体５の形状や、ゲート本体３を回転駆動する方式、側部シール部や、底部シール部の形式等に関わらず、いかなる回転式ゲートにも適用できる。その他本発明の要旨を逸脱しない範囲内で種々変更を加え得ることは勿論である。
【図面の簡単な説明】
【００４８】
【図１】本発明の回転式ゲートの排砂装置の実施の一形態を示すもので、排砂用配管の設置部分の概略切断側面図である。
【図２】図１の装置における強制排砂用配管の設置部分の概略切断側面図である。
【図３】図１の装置の排砂用配管と強制排砂用配管の設置個所を拡大して示す平面図である。
【図４】図１の装置における排砂用配管の上端部を拡大して示す水路下流側から見た図である。
【図５】従来提案されている回転式ゲートの一例の概略を示す正面図である。
【図６】図５のＡ−Ａ方向矢視図である。
【図７】回転式ゲートの側部シール部の一例を示す概略切断平面図である。
【図８】回転式ゲートの水路底部の堀込みピット内にて扉体の下方に溜まる土砂を排出するために従来提案されている手法の一例を示す概要図である。
【図９】回転式ゲートの水路底部の堀込みピット内にて扉体の下方に溜まる土砂を排出するために従来提案されている手法の別の例を示す概要図である。
【符号の説明】
【００４９】
１  水路
２  支持柱部材
３  ゲート本体
４  支持円盤
５  扉体
６  支持軸（水平軸）
１２  凹部
１４  戸当り金物
１８  排砂用配管
１８ｂ流入管
１８ａ  太径部
１９  上流側水流入口
２０  水流出口
２２  挿入管
２４  強制排砂用配管
２５  洗浄装置接続部
２６  水噴出口
【図１】
2008045312.tif 000003
【図２】
2008045312.tif 000004
【図３】
2008045312.tif 000005
【図４】
2008045312.tif 000006
【図５】
2008045312.tif 000007
【図６】
2008045312.tif 000008
【図７】
2008045312.tif 000009
【図８】
2008045312.tif 000010
【図９】
2008045312.tif 000011